【手続補正書】
【提出日】令和3年7月19日(2021.7.19)
【手続補正１】
【補正対象書類名】特許請求の範囲
【補正対象項目名】全文
【補正方法】変更
【補正の内容】
【特許請求の範囲】
【請求項１】
タッチパネルディスプレイを有する情報処理装置であって、
前記タッチパネルディスプレイにソフトウェアキーを含む操作画面を表示させる表示制御手段
を有し、
前記表示制御手段は、
前記情報処理装置にハードウェアキーが接続されていない場合には、前記ハードウェアキーに対応する第一のソフトウェアキーを前記操作画面の所定の領域に表示し、
前記情報処理装置に前記ハードウェアキーが接続されている場合には、前記第一のソフトウェアキーを表示せず、前記第一のソフトウェアキーと異なる操作を行なうためのソフトウェアキーを前記の所定の領域に表示することを特徴とする
情報処理装置。
【請求項２】
前記第一のソフトウェアキーは前記ハードウェアキーと同じ操作を行なうためのソフトウェアキーであることを特徴とする
請求項１に記載の情報処理装置。
【請求項３】
前記第一のソフトウェアキーと異なる操作を行なうためのソフトウェアキーは前記情報処理装置が有する機能を呼び出すためのソフトウェアキーであることを特徴とする
請求項１または２に記載の情報処理装置。
【請求項４】
前記ハードウェアキーはハードテンキーであり、前記第一のソフトウェアキーはソフトウェアテンキーであることを特徴とする請求項１から3のいずれか一項に記載の情報処理装置。
【請求項５】
前記表示制御手段は前記情報処理装置に前記ハードウェアキーが接続されている場合には、前記情報処理装置が有する複数の機能それぞれを実行するためのソフトウェアキーを前記所定の領域に複数表示することを特徴とする請求項１から４のいずれか一項に記載の情報処理装置。
【請求項６】
前記表示制御手段は前記情報処理装置に前記ハードウェアキーが接続されている場合には、操作履歴を呼び出すためのソフトウェアキーを前記所定の領域に表示することを特徴とする請求項１から５のいずれか一項に記載の情報処理装置。
【請求項７】
前記ハードウェアキーと前記第一のソフトウェアキーには前記情報処理装置による処理を開始するためのキーと処理を停止するためのキーが含まれることを特徴とする請求項１から６のいずれか一項に記載の情報処理装置。
【請求項８】
前記情報処理装置はプリント機能、スキャン機能、コピー機能の少なくともいずれかの機能を有する画像処理装置であることを特徴とする請求項１から７のいずれか一項に記載の情報処理装置。
【請求項９】
前記情報処理装置は前記情報処理装置にハードウェアキーが接続されているか否か判断する判断手段をさらに有することを特徴とする請求項１から８のいずれか一項に記載の情報処理装置。
【請求項１０】
タッチパネルディスプレイを有する情報処理装置の制御方法であって、
前記タッチパネルディスプレイに、ソフトウェアキーを含む操作画面を表示させる表
示制御工程
を有し、
前記表示制御工程は、
前記情報処理装置にハードウェアキーが接続されていない場合、前記ハードウェアキーに対応する第一のソフトウェアキーを前記操作画面の所定の領域に、表示し、
前記情報処理装置に前記ハードウェアキーが接続されている場合、前記第一のソフトウェアキーを表示せず、前記第一のソフトウェアキーと異なる操作を行なうためのソフトウェアキーを前記の所定の領域に表示することを特徴とする  情報処理装置の制御方法。
【請求項１１】
タッチパネルディスプレイを有する情報処理装置の制御方法をコンピュータに実行させるプログラムであって、
前記情報処理装置の制御方法は、
前記タッチパネルディスプレイに、ソフトウェアキー含む操作画面を表示させる表示制御工程
を有し、
前記表示制御工程は、
前記情報処理装置がハードウェアキーを有さない場合、前記ハードウェアキーに対応する第一のソフトウェアキーを前記操作画面の所定の領域に、表示し、
前記情報処理装置に前記ハードウェアキーを有する場合、前記第一のソフトウェアキーを表示せず、前記第一のソフトウェアキーと異なる操作を行なうためのソフトウェアキーを前記の所定の領域に表示することを特徴とする  プログラム。
【請求項１２】
前記第一のソフトウェアキーは前記ハードウェアキーと同じ操作を行なうためのソフトウェアキーであることを特徴とする請求項１１に記載のプログラム。
【請求項１３】
前記第一のソフトウェアキーと異なる操作を行なうためのソフトウェアキーは前記情報処理装置が有する機能を呼び出すためのソフトウェアキーであることを特徴とする請求項１１または１２に記載のプログラム。
【請求項１４】
前記ハードウェアキーはハードテンキーであり、前記第一のソフトウェアキーはソフトウェアテンキーであることを特徴とする請求項１１から１3のいずれか一項に記載のプログラム。
【手続補正２】
【補正対象書類名】明細書
【補正対象項目名】０００９
【補正方法】変更
【補正の内容】
【０００９】
図１は、本発明の実施形態に係る情報処理装置としての画像処理装置１０１のハードウェア構成を示す図である。図１の画像処理装置１０１は、システムバス１１０、を有する。システムバス１１０には、ＣＰＵ１１１、ＲＡＭ１１２、ＲＯＭ１１３、入力部Ｉ／Ｆ１１４、表示部Ｉ／Ｆ１１５、外部メモリＩ／Ｆ１２０、通信Ｉ／Ｆコントローラ１２２、プリンタＩ／Ｆ１２４、スキャナＩ／Ｆ１２６、が接続される。システムバス１１０に接続される各部は、システムバス１１０を介して互いにデータを送受する。ＲＯＭ１１３は、不揮発性のメモリであり、画像データやその他のデータ、ＣＰＵ１１１が動作するための各種のプログラムなどがを記憶する。ＲＡＭ１１２は、揮発性のメモリであり、ＣＰＵ１１１の主メモリ、ワークエリアなどの一時記憶領域として用いられる。ＲＡＭ１１２は、画面表示を制御するための情報を保持する記憶領域としても用いられる。ＣＰＵ１１１は、ＲＯＭ１１３や外部メモリ１２１に格納されるプログラムを読み込んで実行する。これにより、画像処理装置１０１には、制御部が実現される。ＣＰＵ１１１は、ＲＡＭ１１２をワークメモリとして用いて、画像処理装置１０１の各部を制御する。表示部Ｉ／Ｆ１１５は、ディスプレイ１１９に接続される。ＣＰＵ１１１は、プログラムに基づく処理により、表示部Ｉ／Ｆ１１５を通じてディスプレイ１１９へ、設定画面などの表示画面のデータを出力する。設定画面は、操作のための表示画面である。入力部Ｉ／Ｆ１１４は、タッチパネル１１６、ハードウェアキー１１７、オプションキー１１８などに接続される。なお、入力部Ｉ／Ｆ１１４は、この他にもキーボード、ポインティングデバイスなどに接続されてよい。タッチパネル１１６は、ディスプレイ１１９と重ねて一体的に設けられる。タッチパネル１１６は、ディスプレイ１１９の表示を透視可能に形成され、ディスプレイ１１９に対する操作位置である座標を検出する。タッチパネル１１６とディスプレイ１１９とは、表示画面における操作座標を検出するＧＵＩ（Ｇｒａｐｈｉｃａｌ  Ｕｓｅｒ  Ｉｎｔｅｒｆａｃｅ）を構成する。ハードウェアキー１１７は、たとえばテンキーなどを有する。オプションキー１１８は、画像処理装置１０１に対して後付け可能に設けられる。タッチパネル１１６、ハードウェアキー１１７、およびオプションキー１１８は、ディスプレイ１１９とともに操作部１２３を構成する。操作部１２３は、画像処理装置１０１に対して固定的に設けられる。タッチパネル１１６、ハードウェアキー１１７、オプションキー１１８は、ユーザにより操作される。入力部Ｉ／Ｆ１１４は、操作に応じた信号を、ＣＰＵ１１１へ出力する。ＣＰＵ１１１は、操作に応じた信号に応じて、プログラムに基づく処理を実行する。外部メモリＩ／Ｆ１２０は、外部メモリ１２１に接続される。外部メモリ１２１は、たとえばハードディスク、フロッピーディスク、メモリカード、ＣＤやＤＶＤなどの記録媒体、で構成されてよい。ＣＰＵ１１１は、外部メモリ１２１からデータを読み出し、外部メモリ１２１へデータを書き込む。通信Ｉ／Ｆコントローラ１２２は、ネットワーク１０２に接続される。ネットワーク１０２には、たとえばＬＡＮ、インターネッ��、無線通信網がある。通信Ｉ／Ｆコントローラ１２２は、ネットワーク１０２から受信したデータを、ＣＰＵ１１１へ出力する。ＣＰＵ１１１は、ネットワーク１０２から送信するデータを、通信Ｉ／Ｆコントローラ１２２へ出力する。プリンタＩ／Ｆ１２４は、プリンタ１２５と接続される。ＣＰＵ１１１は、印刷する画像データを、プリンタＩ／Ｆ１２４を通じてプリンタ１２５へ出力する。プリンタ１２５は、画像データを用紙に印刷する。スキャナＩ／Ｆ１２６は、スキャナ１２７に接続される。スキャナ１２７は、原稿を読み取って画像データを生成する。スキャナ１２７は、読み取った画像データを、スキャナＩ／Ｆ１２６を通じてＣＰＵ１１１へ出力する。
【手続補正３】
【補正対象書類名】明細書
【補正対象項目名】００１６
【補正方法】変更
【補正の内容】
【００１６】
図８は、ステップＳ７０３を実施した場合にディスプレイ１１９に表示されるコピー用のアプリケーション３０４の表示画面の一例を示す図である。図８（ａ）は、図６（ｂ）の操作部１２３のディスプレイ１１９に表示されるコピー用のアプリケーション３０４の設定画面である。図８（ｂ）は、図６（ｃ）の操作部１２３のディスプレイ１１９に表示されるコピー用のアプリケーション３０４の設定画面である。図８のコピー用のアプリケーション３０４の設定画面では、右側部分には、上から順番に、ホーム画面の呼出キー１００１、ショートカットキー８０１、ストップキー１００３、が表示される。画面表示制御部３０１としてのＣＰＵ１１１は、設定画面を表示する際に、表示画面の設定値を取得し、図８のコピー用のアプリケーション３０４の設定画面を生成し、ディスプレイ１１９に表示する。これに対し、ステップＳ７０４を実施した場合、ディスプレイ１１９には、標準の図６（ａ）のコピー用のアプリケーション３０４の設定画面が表示される。図６（ａ）のコピー用のアプリケーション３０４の設定画面では、右側部分には、上から順番に、ホーム画面の呼出キー１００１、ソフトウェアテンキー１００５、ストップキー１００３、が表示される。このように、図６（ｂ）の操作部１２３のようにテンキーのハードウェアキー１１７を有する場合、ディスプレイ１１９には、ソフトウェアテンキー１００５の替わりに、ソフトウェアテンキー１００５が表示される領域にショートカットキー８０１が表示される。また、図６（ｃ）の操作部１２３のようにテンキーのオプションキー１１８を有する場合、ディスプレイ１１９には、ソフトウェアテンキー１００５の替わりに、ソフトウェアテンキー１００５が表示される領域にショートカットキー８０１が表示される。ディスプレイ１１９は、ハードウェアキー１１７やオプションキー１１８と重複している無駄なボタンを表示しなくなる。ディスプレイ１１９の表示画面の表示領域は、有効に活用される。ユーザは、画像処理装置１０１の機能を呼び出して実行するなどのために、ショートカットキー８０１を操作することができる。画面表示制御部３０１としてのＣＰＵ１１１は、ショートカットキー８０１に対応する設定がなされたアプリケーション３０４の設定画面を、ディスプレイ１１９に表示する。なお、この新たに表示されるアプリケーション３０４の設定画面においても、画面表示制御部３０１は、ショートカットキー８０１を表示してよい。なお、画面表示制御部３０１は、ショートカットキー８０１を、予め設定された表示数にて生成してディスプレイ１１９に表示してよい。
【手続補正４】
【補正対象書類名】明細書
【補正対象項目名】００１９
【補正方法】変更
【補正の内容】
【００１９】
ところで、コピー用のアプリケーション３０４などの設定画面において、ソフトウェアテンキー１００５の替わりに表示されるソフトウェアキーは、図８のショートカットキー８０１に限られるものではない。図１１および図１２は、ショートカットキー８０１以外のソフトウェアキーを、コピー用のアプリケーション３０４の設定画面に固定的に表示する例を示す図である。図１１（ａ）のコピー用のアプリケーション３０４の設定画面は、ソフトウェアテンキー１００５の替わりに、ソフトウェアテンキー１００５の表示領域に複数の操作履歴の呼出キー１００２を表示する例である。複数の操作履歴の呼出キー１００２は、タイムラインにしたがった順番で表示される。ユーザは、コピー用のアプリケーション３０４の設定中に、いつでも操作履歴の呼出キー１００２を操作して、操作履歴の設定がなされたアプリケーション３０４の設定画面を呼び出すことができる。図１１（ｂ）のコピー用のアプリケーション３０４の設定画面は、ショートカットキー８０１の替わりに、複数のアプリケーションの呼出キー１１０１を表示する例である。図１１（ｂ）の例では、スキャンして保存するアプリケーション３０４について、保存先を指定して呼び出す複数の呼出キー１１０１が表示されている。ユーザは、コピー用のアプリケーション３０４の設定中に、いつでも、スキャンして保存するアプリケーション３０４の設定画面を、保存先を指定して呼び出すことができる。図１２（ａ）のコピー用のアプリケーション３０４の設定画面では、ショートカットキー８０１の替わりに、画像処理装置１０１の状態１２０１を表示する例である。このように画像処理装置１０１の状態１２０１が常に表示されることにより、ユーザは、画像処理装置１０１に異常があった場合にはそれをすぐに認識することができる。図１２（ｂ）のコピー用のアプリケーション３０４の設定画面では、ショートカットキー８０１の替わりに、掲示板のアプリケーション３０４による表示内容１２０２を表示する例である。このように掲示板の内容１２０２が常に表示されることにより、ユーザは、管理者などからの通知について認識することができる。ユーザに対する情報共有を強化することができる。